(57)【要約】  【課題】  運用開始前に通信不具合が発生した場合には通信不具合箇所を特定するまでに多大な時間を要する。  【解決手段】  本体装置１１及び本体側無線装置１２間を有線接続すると共に、相手側装置２１及び相手側無線装置２２間を有線接続し、本体側無線装置及び相手側無線装置間を無線接続することで本体装置及び相手側装置間のデータ通信を実行するＰＬＣシステム１であって、データ通信の運用開始前に、本体側無線装置及び相手側無線装置間を有線接続することで、本体装置及び相手側装置間の有線部分に関わる通信状態を検出可能にしたものである。【選択図】  図１
2005151428.tif 000002
【特許請求の範囲】
【請求項１】
本体装置及び本体側無線装置間を有線接続すると共に、相手側装置及び相手側無線装置間を有線接続し、前記本体側無線装置及び前記相手側無線装置間を無線接続することで、これら本体側無線装置及び相手側無線装置を通じて、前記本体装置及び前記相手側装置間のデータ通信を実行するデータ通信システムであって、
前記本体側無線装置及び前記相手側無線装置間を無線接続するデータ通信の運用開始前に、前記本体側無線装置及び前記相手側無線装置間を有線接続することで、前記本体装置及び前記相手側装置間の有線部分に関わる通信状態を検出可能にしたことを特徴とするデータ通信システム。
【請求項２】
前記本体装置及び前記本体側無線装置間に第１プロトコル監視端末を接続配置し、この第１プロトコル監視端末にて前記本体装置及び前記本体側無線装置間の通信状態を検出し、この検出結果に基づいて、前記本体装置及び前記相手側装置間の有線部分に関わる通信状態の内、前記本体装置及び前記本体側無線装置間の有線部分に関わる通信状態を表示可能にし、
前記相手側装置及び前記相手側無線装置間に第２プロトコル監視端末を接続配置し、この第２プロトコル監視端末にて前記相手側装置及び前記相手側無線装置間の通信状態を検出し、この検出結果に基づいて、前記本体装置及び前記相手側装置間の有線部分に関わる通信状態の内、前記相手側装置及び前記相手側無線装置間の有線部分に関わる通信状態を表示可能にしたことを特徴とする請求項１記載のデータ通信システム。
【請求項３】
監視端末を接続配置し、この監視端末は、要求コマンドを前記本体装置、前記本体側無線装置、前記相手側装置及び前記相手側無線装置に伝送し、前記本体装置、前記本体側無線装置、前記相手側装置及び相手側無線装置からの要求コマンドに対する応答結果を検出し、この応答結果に基づいて、前記本体装置及び前記相手側装置間の有線部分に関わる通信状態の内、少なくとも前記本体装置及び前記本体側無線装置間の有線部分に関わる通信状態及び、前記相手側無線装置及び前記相手側装置間の有線部分に関わる通信状態を表示可能にしたことを特徴とする請求項１記載のデータ通信システム。
【請求項４】
本体装置及び相手側装置間のデータ通信を無線通信で実行するために、前記本体装置及び前記相手側装置夫々に有線接続される無線装置であって、
前記無線装置は、
前記相手側装置の無線装置と無線接続する機能と、
前記相手側装置の無線装置と有線接続可能とする接続ポートとを備え、
前記相手側装置及び前記本体装置間の無線通信による運用開始前に、前記本体装置及び前記相手側装置間の有線部分に関わる通信状態が検出可能となるように、前記接続ポートを通じて、前記相手側装置の無線装置と有線接続することを特徴とする無線装置。
【発明の詳細な説明】
【技術分野】
【０００１】
本発明は、例えば生産ライン等に配置したプログラマブルコントローラ(以下、単にＰＬＣと称する)等の装置間のデータ通信を無線通信で実現するデータ通信システム及び、そのデータ通信システムに使用される無線装置に関する。
【背景技術】
【０００２】
図３は従来技術のデータ通信システムに関わるＰＬＣシステム内部の概略構成を示すブロック図である。
【０００３】
図３に示すＰＬＣシステム１００は、例えば生産ライン等に配置されたＰＬＣ等の本体装置１１１と、この本体装置１１１と有線接続する本体側無線装置１１２と、他のＰＬＣ等の相手側装置１２１と、この相手側装置１２１と有線接続する相手側無線装置１２２とを有し、本体側無線装置１１２及び相手側無線装置１２２間を無線接続することで、本体装置１１１及び相手側装置１２１間のデータ通信を実行するものである。
【０００４】
尚、出願人は、図３に示すＰＬＣシステム１００についての適切な特許文献を見出すことはできなかったが、ＰＬＣシステムは採用していないものの、上述したように、例えば２台の情報処理装置（本体装置及び相手側装置）間のデータ通信を無線通信で実行する技術内容は公知である(例えば特許文献１参照)。
【０００５】
この特許文献１によれば、各情報処理装置に夫々有線接続した無線装置間を無線接続することで、情報処理装置間のデータ通信を無線通信で実行するデータ通信システムにおいて、無線装置間の無線通信を実行する前に、無線装置間で無線通信条件を設定するために、例えば一方の情報処理装置側の無線装置と他方の情報処理装置とを有線ケーブルで有線接続し、他方の情報処理装置内部に記憶した無線通信条件を他方の無線装置に設定すると共に、有線ケーブルを通じて無線通信条件を一方の無線装置に伝送し、この一方の無線装置に同無線通信条件を設定するようにしたので、無線装置間で同一の無線通信条件を設定することができ、さらには、その設定作業を大幅に良好にすることができる。
【０００６】
そこで、前述した図３に示す従来のＰＬＣシステム１００に特許文献１の技術内容を採用するとすれば、本体側無線装置１１２及び相手側無線装置１２２間の無線通信条件の設定作業も簡単になると考えられる。
【特許文献１】特開平８−２０４７７７号公報(要約書及び図１参照)
【発明の開示】
【発明が解決しようとする課題】
【０００７】
しかしながら、上記従来のＰＬＣシステム１００によれば、本体装置１１１及び相手側装置１２１間のデータ通信を実行する運用を開始する前においては、本体側無線装置１１２及び相手側無線装置１２２間で無線通信条件を設定した後、本体側無線装置１１２及び相手側無線装置１２２間を無線接続し、これら本体側無線装置１１２及び相手側無線装置１２２間の無線通信で、本体装置１１１及び相手側装置１２１間のデータ通信を実行する運用を開始するようにしたが、運用開始前における本体側無線装置１１２及び相手側無線装置１２２間の無線接続後、前記本体装置１１１及び相手側装置１２１間に通信不具合が生じた場合、本体側無線装置１１２及び相手側無線装置１２２間の無線部分（例えば遮蔽物等による通信不良）、本体装置１１１及び本体側無線装置１１２間又は相手側装置１２１及び相手側無線装置１２２間の有線部分（例えば接続不良による通信不良）に通信不具合が生じたかを認識するのは非常に難しく、その結果、本体装置１１１及び相手側装置１２１間の通信不具合箇所を特定するまでには多大な時間を要する。
【０００８】
本発明は上記点に鑑みてなされたものであり、その目的とするところは、運用開始前に通信不具合が生じたとしても、有線部分に関わる通信不具合を簡単に認識することができ、さらには、有線部分及び無線部分を含めた通信不具合箇所を特定する時間を大幅に短縮化することができるデータ通信システム及び、そのデータ通信システムに使用される無線装置を提供することにある。
【課題を解決するための手段】
【０００９】
上記目的を達成するために本発明のデータ通信システムは、本体装置及び本体側無線装置間を有線接続すると共に、相手側装置及び相手側無線装置間を有線接続し、前記本体側無線装置及び前記相手側無線装置間を無線接続することで、これら本体側無線装置及び相手側無線装置を通じて、前記本体装置及び前記相手側装置間のデータ通信を実行するデータ通信システムであって、前記本体側無線装置及び前記相手側無線装置間を無線接続するデータ通信の運用開始前に、前記本体側無線装置及び前記相手側無線装置間を有線接続することで、前記本体装置及び前記相手側装置間の有線部分に関わる通信状態を検出可能にした。
【００１０】
本発明のデータ通信システムは、前記本体装置及び前記本体側無線装置間に第１プロトコル監視端末を接続配置し、この第１プロトコル監視端末にて前記本体装置及び前記本体側無線装置間の通信状態を検出し、この検出結果に基づいて、前記本体装置及び前記相手側装置間の有線部分に関わる通信状態の内、前記本体装置及び前記本体側無線装置間の有線部分に関わる通信状態を表示可能にし、前記相手側装置及び前記相手側無線装置間に第２プロトコル監視端末を接続配置し、この第２プロトコル監視端末にて前記相手側装置及び前記相手側無線装置間の通信状態を検出し、この検出結果に基づいて、前記本体装置及び前記相手側装置間の有線部分に関わる通信状態の内、前記相手側装置及び前記相手側無線装置間の有線部分に関わる通信状態を表示可能にした。
【００１１】
本発明のデータ通信システムは、監視端末を接続配置し、この監視端末は、要求コマンドを前記本体装置、前記本体側無線装置、前記相手側装置及び前記相手側無線装置に伝送し、前記本体装置、前記本体側無線装置、前記相手側装置及び相手側無線装置からの要求コマンドに対する応答結果を検出し、この応答結果に基づいて、前記本体装置及び前記相手側装置間の有線部分に関わる通信状態の内、少なくとも前記本体装置及び前記本体側無線装置間の有線部分に関わる通信状態及び、前記相手側無線装置及び前記相手側装置間の有線部分に関わる通信状態を表示可能にした。
【００１２】
また、上記目的を達成するために本発明の無線装置は、本体装置及び相手側装置間のデータ通信を無線通信で実行するために、前記本体装置及び前記相手側装置夫々に有線接続される無線装置であって、前記無線装置は、前記相手側装置の無線装置と無線接続する機能と、前記相手側装置の無線装置と有線接続可能とする接続ポートとを備え、前記相手側装置及び前記本体装置間の無線通信による運用開始前に、前記本体装置及び前記相手側装置間の有線部分に関わる通信状態が検出可能となるように、前記接続ポートを通じて、前記相手側装置の無線装置と有線接続するようにした。
【発明の効果】
【００１３】
上記のように構成された本発明のデータ通信システムによれば、本体側無線装置及び相手側無線装置間を無線接続するデータ通信の運用開始前に、前記本体側無線装置及び相手側無線装置間を有線接続することで、前記本体装置及び前記相手側装置間の有線部分に関わる通信状態を検出可能にしたので、運用開始前に、前記本体装置及び前記相手側装置間の有線部分に関わる通信状態を確認することができ、さらに、有線部分による通信状態が正常であると確認した後、前記本体側無線装置及び相手側無線装置間の有線接続を解除して無線接続し、本体装置及び相手側装置間に通信不具合が生じた場合には、無線部分による通信不具合であると判断することができるため、運用開始前における本体装置及び相手側装置間の有線部分及び無線部分を含めた通信不具合箇所を特定する時間を大幅に短縮化することができる。
【００１４】
本発明のデータ通信システムによれば、前記本体装置及び本体側無線装置間に接続配置された第１プロトコル監視端末にて前記本体装置及び本体側無線装置間の有線部分に関わる通信状態を表示可能とし、前記相手側装置及び相手側無線装置間に接続配置された第２プロトコル監視端末にて前記相手側装置及び相手側無線装置間の有線部分に関わる通信状態を表示可能にしたので、運用開始前に、第１及び第２プロトコル監視端末の表示内容にて本体装置及び本体側無線装置間の有線部分に関わる通信状態と相手側無線装置及び相手側装置間の有線部分に関わる通信状態とを確認することができ、さらに、有線部分による通信状態が正常であると確認した後、前記本体側無線装置及び相手側無線装置間の有線接続を解除して無線接続し、本体装置及び相手側装置間に通信不具合が生じた場合には、無線部分による通信不具合であると判断することができるため、運用開始前における本体装置及び相手側装置間の有線部分及び無線部分を含めた通信不具合箇所を特定する時間を大幅に短縮化することができる。
【００１５】
本発明のデータ通信システムによれば、監視端末にて要求コマンドを前記本体装置、前記本体側無線装置、前記相手側装置及び前記相手側無線装置に伝送し、前記本体装置、前記本体側無線装置、前記相手側装置及び相手側無線装置からの要求コマンドに対する応答結果を検出し、この応答結果に基づいて、少なくとも前記本体装置及び前記本体側無線装置間の有線部分に関わる通信状態及び、前記相手側無線装置及び前記相手側装置間の有線部分に関わる通信状態を表示可能にしたので、運用開始前に、監視端末の表示内容にて本体装置及び本体側無線装置間の有線部分に関わる通信状態と相手側無線装置及び相手側装置間の有線部分に関わる通信状態とを確認することができ、さらに、有線部分による通信状態が正常であると確認した後、前記本体側無線装置及び相手側無線装置間の有線接続を解除して無線接続し、本体装置及び相手側装置間に通信不具合が生じた場合には、無線部分による通信不具合であると判断することができるため、運用開始前における本体装置及び相手側装置間の有線部分及び無線部分を含めた通信不具合箇所を特定する時間を大幅に短縮化することができる。
【００１６】
また、上記のように構成された本発明の無線装置によれば、前記相手側装置の無線装置と有線接続可能とする接続ポートを備え、前記相手側装置及び前記本体装置間の無線通信による運用開始前に、前記本体装置及び前記相手側装置に関わる有線部分の通信状態が検出可能となるように、前記接続ポートを通じて、前記相手側装置の無線装置と有線接続するようにしたので、運用開始前に、前記本体装置及び前記相手側装置間の有線部分に関わる通信状態を確認することが可能となり、さらに、有線部分による通信状態が正常であると確認した後、前記本体側無線装置及び相手側無線装置間の有線接続を解除して無線接続し、本体装置及び相手側装置間に通信不具合が生じた場合には、無線部分による通信不具合であると判断することができるため、運用開始前における本体装置及び相手側装置間の有線部分及び無線部分を含めた通信不具合箇所を特定する時間を大幅に短縮化することができる。
【発明を実施するための最良の形態】
【００１７】
（実施の形態１）
以下、図面に基づいて本発明のデータ通信システムにおける第１の実施の形態を示すＰＬＣシステムについて説明する。図１は第１の実施の形態を示すＰＬＣシステム内部の概略構成を示すブロック図である。
【００１８】
図１に示すＰＬＣシステム１は、例えば生産ライン等に配置されたＰＬＣ等の本体装置１１と、この本体装置１１と有線接続する本体側無線装置１２と、他のＰＬＣ等の相手側装置２１と、この相手側装置２１と有線接続する相手側無線装置２２とを有し、運用時においては、本体側無線装置１２及び相手側無線装置２２間を無線接続することで、これら本体側無線装置１２及び相手側無線装置２２を通じて、本体装置１１及び相手側装置間２１のデータ通信を実行するものである。
【００１９】
また、本体側無線装置１２及び相手側無線装置２２は、相互に有線接続を可能とする接続ポート１２Ａ、２２Ａを備え、これら接続ポート１２Ａ，２２Ａ間を有線ケーブル３１にて有線接続可能とするものである。
【００２０】
一般的にＰＬＣシステム１では、本体装置１１及び相手側装置２１間のデータ通信を実行する運用を開始する前に、本体装置１１及び相手側装置２１間の通信状態を確認する必要がある。
【００２１】
そこで、第１の実施の形態を示すＰＬＣシステム１においては、本体側無線装置１２及び相手側無線装置２２間相互に有線接続を可能とする接続ポート１２Ａ，２２Ａを備え、本体装置１１及び相手側装置２１間のデータ通信を実行する運用を開始する前、すなわち本体側無線装置１２及び相手側無線装置２２間が無線接続する前に、本体側無線装置１２の接続ポート１２Ａ及び相手側無線装置２２の接続ポート２２Ａ間を、有線ケーブル３１を通じて有線接続する。
【００２２】
さらに、同ＰＬＣシステム１は、本体装置１１にパソコン監視端末４１を有線接続すると共に、本体装置１１及び本体側無線装置１２間に第１プロトコル監視端末４２Ａを有線接続すると共に、相手側装置２１及び相手側無線装置２２間に第２プロトコル監視端末４２Ｂを有線接続すると共に、本体側無線装置１２及び相手側無線装置２２間に第３プロトコル監視端末４２Ｃを有線接続する。
【００２３】
そして、このようにＰＬＣシステム１内にパソコン監視端末４１、第１プロトコル監視端末４２Ａ、第２プロトコル監視端末４２Ｂ及び第３プロトコル監視端末４２Ｃを接続配置した後、パソコン監視端末４１は、通信状態チェック信号を本体装置１１に伝送する。
【００２４】
この通信状態チェック信号は、本体装置１１、本体側無線装置１２、有線ケーブル３１及び相手側無線装置２２の順に経由して、相手側装置２１に伝送されるものである。
【００２５】
この際、本体装置１１及び本体側無線装置１２間に接続配置された第１プロトコル監視端末４２Ａは、本体装置１１及び本体側無線装置１２間の通信状態チェック信号を検出し、この通信状態チェック信号に基づいて、本体装置１１及び本体側無線装置１２間の有線部分に関わる通信状態をモニタ表示する。
【００２６】
さらに、本体側無線装置１２及び相手側無線装置２２間に接続配置された第３プロトコル監視端末４２Ｃは、本体側無線装置１２及び相手側無線装置２２間の通信状態チェック信号を検出し、この通信状態チェック信号に基づいて、本体側無線装置１２及び相手側無線装置２２間の有線部分に関わる通信状態をモニタ表示する。
【００２７】
また、相手側無線装置２２及び相手側装置２１間に接続配置された第２プロトコル監視端末４２Ｂは、相手側無線装置２２及び相手側装置２１間の通信状態チェック信号を検出し、この通信状態チェック信号に基づいて、相手側無線装置２２及び相手側装置２１間の有線部分に関わる通信状態をモニタ表示する。
【００２８】
つまり、第１プロトコル監視端末４２Ａにて本体装置１１及び本体側無線装置１２間の有線部分に関わる通信状態、第２プロトコル監視端末４２Ｂにて本体側無線装置１２及び相手側無線装置２２間の有線部分に関わる通信状態、第３プロトコル監視端末４２Ｃにて相手側無線装置２２及び相手側装置２１間の有線部分に関わる通信状態をモニタ表示することで、その結果、ユーザは、本体装置１１及び相手側装置２１間の有線部分に関わる通信状態を認識することが可能となり、例えば本体装置１１及び相手側装置２１間の運用開始前に通信不具合が生じたとしても、有線部分に関わる通信状態の不具合を迅速に認識することができる。
【００２９】
従って、仮に本体装置１１及び相手側装置２１間の有線部分に関わる通信不具合が発生したとしても、第１プロトコル監視端末４２Ａ、第２プロトコル監視端末４２Ｂ及び第３プロトコル監視端末４２Ｃにて通信不具合箇所を容易に特定することができる。
【００３０】
また、第１プロトコル監視端末４２Ａ、第２プロトコル監視端末４２Ｂ及び第３プロトコル監視端末４２Ｃにて有線部分に関わる通信状態のモニタ結果に基づいて、ユーザは、有線部分の通信不具合箇所をみつけることができなければ、有線部分の通信状態は正常であると判断することができる。
【００３１】
そして、本体側無線装置１２及び相手側無線装置２２間の有線ケーブル３１による有線接続を外して、無線接続した後、本体装置１１及び相手側装置２１間に通信不具合が発生した場合、前述したように有線部分の通信状態は正常であることから、本体装置１１及び相手側装置２１間の通信不具合は、本体側無線装置１２及び相手側無線装置２２間の無線部分に関わる通信不具合であると、直ぐに判断することができる。
【００３２】
第１の実施の形態によれば、運用開始前に本体側無線装置１２及び相手側無線装置２２間を有線ケーブル３１で有線接続し、第１、第２及び第３プロトコル監視端末４２Ａ，４２Ｂ，４２Ｃにて本体装置１１及び相手側装置２１間の有線部分に関わる通信状態をモニタ表示するようにしたので、例えば本体装置１１及び相手側装置２１間の有線部分に通信不具合が発生したとしても、その有線部分に関わる通信不具合箇所を簡単に認識することができる。
【００３３】
さらに第１の実施の形態によれば、運用開始前に、本体装置１１及び相手側装置２１間の有線部分の通信状態が正常であると確認した後、本体側無線装置１２及び相手側無線装置２２間の無線接続を開始して本体装置１１及び相手側装置２１間の通信不具合が発生した場合には、有線部分に関わる通信不具合を考慮することなく、本体側無線装置１２及び相手側無線装置２２間の無線部分に関わる通信不具合が発生したものと簡単に判断することができる。
【００３４】
つまり、第１の実施の形態によれば、運用開始前に、本体装置１１及び相手側装置２１間に通信不具合が発生したとしても、有線部分に関わる通信不具合を簡単に認識することができ、その結果、有線部分及び無線部分を含めた通信不具合箇所を特定する時間を大幅に短縮化することができる。
【００３５】
(実施の形態２)
次に第２の実施の形態を示すＰＬＣシステムについて説明する。図２は第２の実施の形態を示すＰＬＣシステム内部の概略構成を示すブロック図である。尚、図１に示すＰＬＣシステム１と同一の構成については同一の符号を付すことで、その重複する構成及び動作の説明については省略する。
【００３６】
図２に示すＰＬＣシステム１Ａは、運用開始前に、本体側無線装置１２及び相手側無線装置２２間を有線ケーブル３１で有線接続すると共に、本体装置１１にパソコン監視端末５１を有線接続し、パソコン監視端末５１からのエラー要求コマンドに対する本体装置１１、本体側無線装置１２、相手側無線装置２２及び相手側装置２１からの応答結果に基づいて、本体装置１１及び相手側装置２１間の有線部分に関わる通信状態をパソコン監視端末５１にてモニタ表示可能としたものである。
【００３７】
尚、本体装置１１、本体側無線装置１２、相手側無線装置２２及び相手側装置２１には、識別情報が夫々付与されているため、パソコン監視端末５１では、識別情報に基づいて本体装置１１、本体側無線装置１２、相手側無線装置２２及び相手側装置２１からの信号であるか否かを認識することができるものとする。
【００３８】
そこで、第２の実施の形態を示すＰＬＣシステム１Ａにおいては、本体装置１１及び相手側装置２１間のデータ通信を実行する運用を開始する前、すなわち本体側無線装置１２及び相手側無線装置２２間が無線接続する前に、本体側無線装置１２の接続ポート１２Ａ及び相手側無線装置２２の接続ポート２２Ａ間を、有線ケーブル３１を通じて有線接続する。
【００３９】
さらに、同ＰＬＣシステム１Ａは、本体装置１１に有線接続したパソコン監視端末５１にて本体装置１１にエラー要求コマンドを伝送する。尚、このエラー要求コマンドは、本体装置１１、本体側無線装置１２、有線ケーブル３１、相手側無線装置２２及び相手側装置２１の順に経由して、相手側装置２１に伝送されるものである。
【００４０】
本体装置１１は、パソコン監視端末５１からのエラー要求コマンドを検出すると、このエラー要求コマンドに対して正常に受信したことを示す応答コマンドをパソコン監視端末５１に通知すると共に、パソコン監視端末５１からのエラー要求コマンドを本体側無線装置１２に伝送する。尚、応答コマンドには、本体装置１１を識別する識別情報が含まれているものとする。
【００４１】
さらに、本体側無線装置１２は、本体装置１１を経由してパソコン監視端末５１からのエラー要求コマンドを検出すると、このエラー要求コマンドに対して正常に受信したことを示す応答コマンドを、本体装置１１を経由してパソコン監視端末５１に通知すると共に、パソコン監視端末５１からのエラー要求コマンドを相手側無線装置２２に伝送する。尚、応答コマンドには、本体側無線装置２２を識別する識別情報が含まれているものとする。
【００４２】
また、相手側無線装置２２は、本体装置１１及び本体側無線装置１２を経由してパソコン監視端末５１からのエラー要求コマンドを検出すると、このエラー要求コマンドに対して正常に受信したことを示す応答コマンドを、本体側無線装置１２及び本体装置１１を経由してパソコン監視端末５１に通知すると共に、パソコン監視端末５１からのエラー要求コマンドを相手側装置２１に伝送する。尚、応答コマンドには、相手側無線装置２２を識別する識別情報が含まれているものとする。
【００４３】
相手側装置２１は、本体装置１１、本体側無線装１２及び相手側無線装置２２を経由してパソコン監視端末５１からのエラー要求コマンドを検出すると、このエラー要求コマンドに対して正常に受信したことを示す応答コマンドを、相手側無線装置２２、有線ケーブル３１、本体側無線装置１２及び本体装置１１を経由してパソコン監視端末５１に通知する。尚、この応答コマンドには、相手側装置２１を識別する識別情報が含まれているものとする。
【００４４】
パソコン監視端末５１は、エラー要求コマンドに対する本体装置１１、本体側無線装置１２、相手側無線装置２２及び相手側装置２１からの応答コマンドを受信し、これら応答コマンドの受信有無に基づいて、本体装置１１及び本体側無線装置１２間の有線部分に関わる通信状態、本体側無線装置１２及び相手側無線装置２２間の有線部分に関わる通信状態、及び相手側無線装置２２及び相手側装置２１間の有線部分に関わる通信状態を検出し、本体装置１１及び本体側無線装置１２間の有線部分に関わる通信状態をモニタ表示する、その結果、本体装置１１及び相手側装置２１間の有線部分に関わる通信状態を認識することが可能となり、例えば本体装置１１及び相手側装置２１間の運用開始前に通信不具合が発生したとしても、有線部分に関わる通信状態の不具合を迅速に認識することができる。
【００４５】
従って、仮に本体装置１１及び相手側装置２１間の有線部分に関わる通信不具合が発生したとしても、パソコン監視端末５１にて通信不具合箇所を特定することができる。
【００４６】
また、パソコン監視端末５１にて有線部分に関わる通信状態のモニタ結果に基づいて、ユーザが、有線部分の通信不具合箇所をみつけることができなければ、有線部分の通信状態は正常であると判断することができる。
【００４７】
そして、本体側無線装置１２及び相手側無線装置２２間の有線ケーブル３１による有線接続を外して、無線接続した後、本体装置１１及び相手側装置２１間に通信不具合が発生した場合、前述したように有線部分の通信状態は正常であることから、本体装置１１及び相手側装置２１間の通信不具合は、本体側無線装置１２及び相手側無線装置２２間の無線部分に関わる通信不具合であると、直ぐに判断することができる。
【００４８】
第２の実施の形態によれば、運用開始前に本体側無線装置１２及び相手側無線装置２２間を有線ケーブル３１で有線接続し、パソコン監視端末５１にて本体装置１１及び相手側装置２１間の有線部分に関わる通信状態をモニタ表示するようにしたので、例えば本体装置１１及び相手側装置２１間の有線部分に通信不具合が発生したとしても、その有線部分に関わる通信不具合箇所を簡単に認識することができる。
【００４９】
さらに第２の実施の形態によれば、運用開始前に、本体装置１１及び相手側装置２１間の有線部分の通信状態が正常であると確認した後、本体側無線装置１２及び相手側無線装置２２間の無線接続を開始して本体装置１１及び相手側装置２１間の通信不具合が発生した場合には、有線部分に関わる通信不具合を考慮する必要なく、本体側無線装置１２及び相手側無線装置２２間の無線部分に関わる通信不具合が発生したものと簡単に判断することができる。
【００５０】
つまり、第２の実施の形態によれば、運用開始前に、本体装置１１及び相手側装置２１間に通信不具合が発生したとしても、有線部分に関わる通信不具合を簡単に認識することができ、その結果、有線部分及び無線部分を含めた通信不具合箇所を特定する時間を大幅に短縮化することができる。
【００５１】
尚、上記実施の形態においては、本体装置１１及び相手側装置２１間のデータ通信を無線通信で実行するＰＬＣシステム１（１Ａ）を例にあげて説明したが、本体装置及び相手側装置間のデータ通信を無線通信で実行するような、他のシステムについても適用可能であることは言うまでもない。
【産業上の利用可能性】
【００５２】
本発明のデータ通信システムは、本体側無線装置及び相手側無線装置間を無線接続するデータ通信の運用開始前に、本体装置及び相手側装置間の有線部分に関わる通信状態を検出可能としたので、運用開始前に、本体装置及び相手側装置間の通信不具合が生じたとしても、有線部分に関わる通信不具合を簡単に認識することができ、その結果、有線部分及び無線部分を含めた通信不具合箇所を特定する時間を大幅に短縮化することができる、例えばＰＬＣ間を無線通信でデータ通信を実現するＰＬＣシステムに適用可能である。
【図面の簡単な説明】
【００５３】
【図１】本発明のデータ通信システムにおける第１の実施の形態を示すＰＬＣシステム内部の概略構成を示すブロック図である。
【図２】第２の実施の形態を示すＰＬＣシステム内部の概略構成を示すブロック図である。
【図３】従来技術のＰＬＣシステム内部の概略構成を示すブロック図である。
【符号の説明】
【００５４】
１  ＰＬＣシステム
１Ａ  ＰＬＣシステム
１１  本体装置
１２  本体側無線装置
２１  相手側装置
２２  相手側無線装置
４２Ａ  第１プロトコル監視端末
４２Ｂ  第２プロトコル監視端末
５１  パソコン監視端末
【図１】
2005151428.tif 000003
【図２】
2005151428.tif 000004
【図３】
2005151428.tif 000005